(57)【要約】【課題】部品の動作音を抑制し、かつ、部品の動作音を抑制するための別部材を用いることなく安価に製造できる電気接続箱を提供する。【解決手段】電気接続箱１０は、動作音が発生する部品としての３つのリレー１ａ，１ｂ，１ｃと、リレー１ａ，１ｂ，１ｃが固定される箱本体２と、箱本体２を覆うカバー体３と、を備えて構成され、カバー体３は、合成樹脂を用いて、平面視略矩形状に形成され、リレー１ａ，１ｂ，１ｃをそれぞれ覆うリレー収容部３１ａ，３１ｂ，３１ｃを有し、壁部３１２の側壁部３１４は、リレー１ａ，１ｂ，１ｃの外形に合わせて、断面矩形状よりも多数の面を有して形成されている。【選択図】図５
2016025736.tif 000002
【特許請求の範囲】
【請求項１】
動作音が発生する部品と、前記部品が固定される箱本体と、該箱本体を覆うカバー体と、を備えた電気接続箱であって、
前記カバー体には、前記部品のみを覆う部品収容部が設けられ、
前記部品収容部は、前記部品の外形に合わせて、断面矩形状よりも多数の面を有する壁部により構成されている
ことを特徴とする電気接続箱。
【請求項２】
前記壁部は、前記箱本体と前記カバー体との対向方向に延びる側壁部と、該側壁部の端部から前記側壁部と交差する方向に延びる天面壁部と、を有し、
前記天面壁部には前記部品の動作音を抑制するためのリブが設けられている
ことを特徴とする請求項１に記載の電気接続箱。
【請求項３】
前記部品がリレーであることを特徴とする請求項１又は２に記載の電気接続箱。
【発明の詳細な説明】
【技術分野】
【０００１】
本発明は、動作音が発生する部品と、前記部品が固定される箱本体と、該箱本体を覆うカバー体と、を備えた電気接続箱に関する。
【背景技術】
【０００２】
従来、自動車等に設置される電気接続箱には、リレー等の動作音が発生する部品を備えるものがある。例えば、床下等の運転者や乗員に近い位置にこのような電気接続箱を設置する場合、運転者や乗員が意図しないタイミングで動作音が発生することにより、異音と判断されることがある。そこで、電気接続箱内で発生した部品の動作音を抑制することができる電気接続箱が種々提案されている（例えば、特許文献１参照）。
【０００３】
特許文献１に記載の電気接続箱は、電子部品が収容される箱本体と、該箱本体を覆うカバー体と、を備え、箱本体又はカバー体に吸音部材を取り付けたものである。このような電気接続箱によれば、電子部品の動作音が発生しても、箱本体又はカバー体に取り付けられた吸音部材により電子部品の動作音を吸音することができ、電気接続箱外部に動作音が伝わり難くすることができる。
【先行技術文献】
【特許文献】
【０００４】
【特許文献１】特開２００５−３０４１６２号公報
【発明の概要】
【発明が解決しようとする課題】
【０００５】
しかしながら、吸音部材を取り付けた従来の電気接続箱においては、動作音を抑制するための別部材が必要となり製造コストが高くなるという問題があった。
【０００６】
従って、本発明は、上記のような問題点に着目し、部品の動作音を抑制し、かつ、部品の動作音を抑制するための別部材を用いることなく安価に製造できる電気接続箱を提供することを目的とする。
【課題を解決するための手段】
【０００７】
請求項１に記載された発明は、動作音が発生する部品と、前記部品が固定される箱本体と、該箱本体を覆うカバー体と、を備えた電気接続箱であって、前記カバー体には、前記部品のみを覆う部品収容部が設けられ、前記部品収容部は、前記部品の外形に合わせて、断面矩形状よりも多数の面を有する壁部により構成されていることを特徴とする電気接続箱である。
【０００８】
請求項２に記載された発明は、請求項１に記載された発明において、前記壁部は、前記箱本体と前記カバー体との対向方向に延びる側壁部と、該側壁部の端部から前記側壁部と交差する方向に延びる天面壁部と、を有し、前記天面壁部には前記部品の動作音を抑制するためのリブが設けられていることを特徴とするものである。
【０００９】
請求項３に記載された発明は、請求項１又は２に記載された発明において、前記部品がリレーであることを特徴とするものである。
【発明の効果】
【００１０】
請求項１に記載された発明によれば、動作音が発生する部品と、部品が固定される箱本体と、箱本体を覆うカバー体と、を備えた電気接続箱であって、カバー体には、部品のみを覆う部品収容部が設けられ、部品収容部は、部品の外形に合わせて、断面矩形状よりも多数の面を有する壁部により構成されている。このことから、部品の動作音を部品収容部外に伝播し難くすることができ、電気接続箱外における部品の動作音を抑制することができる。また、別部材を用いることなく、カバー体の構造により部品の動作音を抑制することができることから、より安価に製造することができる。
【００１１】
請求項２に記載された発明によれば壁部は、箱本体とカバー体との対向方向に延びる側壁部と、側壁部の端部から側壁部と交差する方向に延びる天面壁部と、を有し、天面壁部には部品の動作音を抑制するためのリブが設けられている。このことから、部品の動作音を部品収容部外により伝播し難くすることができ、電気接続箱外における部品の動作音をさらに抑制することができる。
【図面の簡単な説明】
【００１２】
【図１】本発明の電気接続箱を示す斜視図である。
【図２】図１に示された電気接続箱を示す平面図である。
【図３】図１に示された電気接続箱のカバー体を取り外した状態を示す斜視図である。
【図４】図１に示された電気接続箱のカバー体の内面を示す斜視図である。
【図５】図２に示された電気接続箱において、部品収容部に電子部品が収容された状態を説明する説明図である。
【発明を実施するための形態】
【００１３】
本発明の一実施形態にかかる「電気接続箱」を図１〜図５を参照して説明する。
【００１４】
電気接続箱１０は、電気自動車の車内において、床下に取り付けられて用いられる。なお、本発明の電気接続箱は、電気自動車以外の車両に用いられてもよく、また、電気接続箱の取り付け位置は床下に限らず、エンジンルーム等に取り付けられてもよい。
【００１５】
電気接続箱１０は、動作音が発生する部品としての３つのリレー１ａ，１ｂ，１ｃと、リレー１ａ，１ｂ，１ｃが固定される箱本体２と、箱本体２を覆うカバー体３と、を備えて構成されている。なお、本実施形態において、図中の矢印Ｘ方向を電気接続箱１０の長手方向、矢印Ｙ方向を電気接続箱１０の幅方向、矢印Ｚ方向を電気接続箱１０の高さ方向とする。また、矢印Ｚ方向における上下は、図１における上下に対応する。
【００１６】
リレー１ａ，１ｂ，１ｃは、電圧が印加されることにより接点が動作し、この接点のＯＮ／ＯＦＦにより動作音が発生する電子部品である。リレー１ａ，１ｂ，１ｃの外形は、全体として概略直方体状（断面矩形状）であり、ＸＹ平面に沿う上面が平面状、Ｚ方向に延びる側面が断面矩形状よりも複数の凹凸形状を有する形状に形成されている。リレー１ａ，１ｂはＹ方向一方側側面（図２における上側）において、Ｘ方向に所定の間隔をおいて並んで固定され、リレー１ｃは、Ｘ方向においてリレー１ａ，１ｂの間、かつ、Ｙ方向におけるリレー１ａ，１ｂの他方側（図２における下側）に固定されている。後述するリレー固定部２１ａ，２１ｂ，２１ｃ、リレー収容部３１ａ，３１ｂ，３１ｃはそれぞれリレー１ａ，１ｂ，１ｃの固定位置に対応した位置に設けられている。
【００１７】
箱本体２は、合成樹脂を用いて、全体として平面視略矩形状に形成され、リレー１ａ，１ｂ，１ｃを固定するリレー固定部２１ａ，２１ｂ，２１ｃを有している。また、図３に示すように、箱本体２には、リレー１ａ，１ｂ，１ｃ以外の中継端子等の部品Ｐや、バスバーＢ等が固定されている。
【００１８】
カバー体３は、合成樹脂を用いて、全体として平面視略矩形状に形成されている。また、カバー体３は、リレー１ａ，１ｂ，１ｃをそれぞれ覆うリレー収容部３１ａ，３１ｂ，３１ｃ（請求項における「部品収容部」に相当する）を有している。
【００１９】
リレー収容部３１ａ，３１ｂ，３１ｃは、それぞれ、リレー１ａ，１ｂ，１ｃのみを覆う壁部３１１により構成されている。壁部３１１は、リレー１ａ，１ｂ，１ｃの上部を覆う天面壁部３１２と、天面壁部３１２の外縁から箱本体２に向かってＺ方向（箱本体２とカバー体３との対向方向）に延びる側壁部３１３と、を有している。
【００２０】
図５は、リレー１ａがリレー収容部３１ａに収容された状態を示す断面図である。図５に示すように、側壁部３１３は、リレー１ａの外形（換言すると、リレー１ａの断面視における凹凸形状）に合わせて、断面矩形状よりも多数の面を有して形成されている。
【００２１】
また、図４に示すように、天面壁部３１２の内面（カバー体３が取り付けられた状態におけるリレー１ａ，１ｂ，１ｃ側の面）には、リレー１ａ，１ｂ，１ｃの動作音を抑制するためのリブ３１４がそれぞれ箱本体２に向かってＺ方向に立設している。リブ３１４は、Ｘ方向とＹ方向とに延びる格子状に設けられている。
【００２２】
次に、電気接続箱１０にリレー１ａ，１ｂ，１ｃを固定して電気接続箱１０を組み立てる方法について説明する。
【００２３】
まず、箱本体２のリレー固定部２１ａ，２１ｂ，２１ｃにリレー１ａ，１ｂ，１ｃを固定する。このとき、箱本体２に固定されたバスバーＢがリレー１ａ，１ｂ，１ｃにそれぞれ接続される。次に、カバー体３を、内面を箱本体２側に向けて、リレー収容部３１ａ，３１ｂ，３１ｃの内側にリレー１ａ，１ｂ，１ｃがそれぞれ収容されるようにして取り付ける。なお、本実施形態の電気接続箱１０には、リレー１ａ，１ｂ，１ｃの動作音を吸音するためのパッキン等は取り付けられない。以上のようにして電気接続箱１０の組み立てが完了する。
【００２４】
本実施形態の電気接続箱１０によれば、動作音が発生するリレー１ａ，１ｂ，１ｃと、リレー１ａ，１ｂ，１ｃが固定される箱本体２と、箱本体２を覆うカバー体３と、を備え、カバー体３には、リレー１ａ，１ｂ，１ｃのみを覆うリレー収容部３１ａ，３１ｂ，３１ｃが設けられ、リレー収容部３１ａ，３１ｂ，３１ｃは、リレー１ａ，１ｂ，１ｃの外形に合わせて、断面矩形状よりも多数の面を有する側壁部３１３を有して構成されている。すなわち、動作音を抑制するために、全体として概略直方体状のリレー１ａ，１ｂ，１ｃに対して、リレー収容部３１ａ，３１ｂ，３１ｃを直方体状ではなく、リレー１ａ，１ｂ，１ｃの外形に合わせた多数の面を有する形状に形成されている。このことから、リレー１ａ，１ｂ，１ｃの動作音をリレー収容部３１ａ，３１ｂ，３１ｃ外に伝播し難くすることができ、電気接続箱１０外におけるリレー１ａ，１ｂ，１ｃの動作音を抑制することができる。また、パッキン等の別部材を用いることなく、カバー体３の構造によりリレー１ａ，１ｂ，１ｃの動作音を抑制することができることから、より安価に製造することができる。
【００２５】
また、天面壁部３１２にはリレー１ａ，１ｂ，１ｃの動作音を抑制するためのリブ３１４が設けられている。このことから、リレー１ａ，１ｂ，１ｃの動作音をリレー収容部３１ａ，３１ｂ，３１ｃ外により伝播し難くすることができ、電気接続箱１０外におけるリレー１ａ，１ｂ，１ｃの動作音をさらに抑制することができる。
【００２６】
なお、本発明は、前述した実施形態に限定されるものではなく、本発明の目的が達成できる他の構成等を含み、以下に示すような変形等も本発明に含まれる。
【００２７】
前述した実施形態においては、動作音が発生する部品としてリレー１ａ，１ｂ，１ｃが電気接続箱１０に固定されていたが、本発明の電気接続箱においては、動作音が発生する他の部品が取り付けられていてもよい。
【００２８】
また、天面壁部３１２が平面状に形成されていたが、本発明の電気接続箱において、天面壁部側に凹凸形状を有する部品が部品収容部内に収容される場合には、天面壁部がその凹凸形状に沿う形状に形成されていてもよい。
【００２９】
また、リブ３１４が天面壁部３１２の内面から立設していたが、天面壁部３１２の外面から立設していてもよい。また、リブ３１４の形状や厚さ等は所望の形状に種々変更することができる。
【００３０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００３１】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３２】
１ａ，１ｂ，１ｃ      リレー（部品）
２        箱本体
３        カバー体
１０      電気接続箱
３１ａ，３１ｂ，３１ｃ      リレー収容部（部品収容部）
３１１    壁部
３１２    天面壁部
３１３    側壁部
３１４    リブ
【図１】
2016025736.tif 000003
【図２】
2016025736.tif 000004
【図３】
2016025736.tif 000005
【図４】
2016025736.tif 000006
【図５】
2016025736.tif 000007